(57)【要約】【課題】ネットワーク上のコミュニケーションサービスにおいて、自己に有用なインフルエンサーであるかを評価するための影響度を算出すること。【解決手段】ＳＮＳサーバ１０と接続され、ＳＮＳへの書き込み情報を利用してプロモーションを行うプロモーションユーザにとって有用なインフルエンサーであるかを評価するための有用影響度を分析する影響度分析装置１００は、ＳＮＳの各ユーザについて、各ユーザの書き込み情報へ他のユーザの反応率に基づいて他のユーザへの影響度を算出する影響度分析部１２０と、ＳＮＳの各ユーザについて、プロモーションユーザへの接触率に基づいてプロモーションユーザに対するファン度を算出するファン度分析部１３０と、ＳＮＳの各ユーザについて、算出された影響度および算出されたファン度に基づいて、有用影響度を算出する有用影響度分析部１４０と、を備える。【選択図】図１
2014021889.tif 000002
【特許請求の範囲】
【請求項１】
ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を分析する影響度分析装置であって、
前記コミュニケーションサービスに参加している各ユーザについて、当該各ユーザが他のユーザに与える影響度と、当該各ユーザの当該プロモーションユーザに対する好意の度合を示すファン度と、に基づいて、前記プロモーションユーザに有用なインフルエンサーであるかを評価するための有用影響度を算出することを特徴とする影響度分析装置。
【請求項２】
前記コミュニケーションサービスに参加している各ユーザについて、当該各ユーザにより発信され公開された書き込み情報へ他のユーザの反応率に基づいて、当該各ユーザの当該他のユーザへの前記影響度を算出する影響度分析手段と、
前記コミュニケーションサービスに参加している各ユーザについて、前記プロモーションユーザへの接触率に基づいて、当該各ユーザの当該プロモーションユーザに対する前記ファン度を算出するファン度分析手段と、
前記コミュニケーションサービスに参加している各ユーザについて、前記影響度分析手段で算出された前記影響度および前記ファン度分析手段で算出された前記ファン度に基づいて、前記有用影響度を算出する有用影響度分析手段と、
を備えることを特徴とする請求項１に記載の影響度分析装置。
【請求項３】
前記有用影響度分析手段で算出された前記有用影響度に基づいて、前記プロモーションユーザに有用なインフルエンサーを抽出するインフルエンサー抽出手段を備えることを特徴とする請求項２に記載の影響度分析装置。
【請求項４】
前記影響度分析手段が、前記コミュニケーションサービスに参加している各ユーザについて、当該各ユーザにより発信され公開された書き込み情報への評価数と、前記他のユーザにより発信され公開された書き込み情報にした評価数とから、他のユーザから興味を持たれている度合を示す興味度を算出する興味度分析手段を備え、
前記興味度分析手段で算出された興味度に基づいて、前記影響度を算出することを特徴とする請求項２または３に記載の影響度分析装置。
【請求項５】
前記影響度分析手段が、前記コミュニケーションサービスに参加している各ユーザについて、当該各ユーザの前記コミュニケーションサービスにおいて友人関係にある友人ユーザの数と、当該各ユーザにより発信され公開された書き込み情報の当該友人ユーザとの共有数および当該友人ユーザによる当該書き込み情報へのコメント数とから、前記友人ユーザの当該各ユーザに対する反応度合を示す友人反応度を算出する友人反応度分析手段を備え、
前記友人反応度分析手段で算出された友人反応度に基づいて、前記影響度を算出することを特徴とする請求項２から４のいずれかに記載の影響度分析装置。
【請求項６】
前記影響度分析手段が、前記コミュニケーションサービスに参加している各ユーザについて、当該各ユーザにより発信され公開された書き込み情報の前記他のユーザとの共有数および当該書き込み情報へのコメント数と、当該各ユーザの書き込み情報数とから、前記コミュニケーションサービスにおける当該各ユーザに対する反応度合を示す全体反応度を算出する全体反応度分析手段を備え、
前記全体反応度分析手段で算出された全体反応度に基づいて、前記影響度を算出することを特徴とする請求項２から５のいずれかに記載の影響度分析装置。
【請求項７】
前記ファン度分析手段が、前記コミュニケーションサービスに参加している各ユーザについて、前記プロモーションユーザにより発信され公開された書き込み情報数と、当該書き込み情報への評価数および当該書き込み情報の前記他のユーザとの共有数とから、当該各ユーザの当該プロモーションユーザに対する反応度合を示すプロモーション反応度を算出するプロモーション反応度分析手段を備え、
前記プロモーション反応度分析手段で算出されたプロモーション反応度に基づいて、前記ファン度を算出することを特徴とする請求項２から６のいずれかに記載の影響度分析装置。
【請求項８】
前記ファン度分析手段が、前記コミュニケーションサービスに参加している各ユーザについて、前記プロモーションユーザにより当該コミュニケーションサービスを利用できるように当該各ユーザに提供されているアプリケーションの数と、当該各ユーザに提供されているアプリケーションのうち当該各ユーザが利用したアプリケーションの数とから、当該各ユーザの当該アプリケーションの利用状況を示す利用度を算出する利用度分析手段を備え、
前記で利用度分析手段算出された利用度に基づいて、前記ファン度を算出することを特徴とする請求項２から７のいずれかに記載の影響度分析装置。
【請求項９】
ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を算出する影響度分析装置における影響度分析方法であって、
前記影響度分析装置は、影響度分析手段、ファン度分析手段、および有用影響度分析手段を備え、
前記影響度分析手段が、前記コミュニケーションサービスに参加している各ユーザについて、当該各ユーザにより発信され公開された書き込み情報へ他のユーザの反応率に基づいて、当該各ユーザの当該他のユーザへの影響度を算出する第１のステップと、
前記ファン度分析手段が、前記コミュニケーションサービスに参加している各ユーザについて、前記プロモーションユーザへの接触率に基づいて、当該プロモーションユーザに対するファン度を算出する第２のステップと、
前記有用影響度分析手段が、前記コミュニケーションサービスに参加している各ユーザについて、前記第１のステップで算出された前記影響度および前記第２のステップで算出された前記ファン度に基づいて、前記プロモーションユーザに有用なインフルエンサーであるかを評価するための有用影響度を算出する第３のステップと、
を含むことを特徴とする影響度分析方法。
【請求項１０】
ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を算出する影響度分析装置における影響度分析方法をコンピュータに実行させるためのプログラムであって、
前記影響度分析装置は、影響度分析手段、ファン度分析手段、および有用影響度分析手段を備え、
前記影響度分析手段が、前記コミュニケーションサービスに参加している各ユーザについて、当該各ユーザにより発信され公開された書き込み情報へ他のユーザの反応率に基づいて、当該各ユーザの当該他のユーザへの影響度を算出する第１のステップと、
前記ファン度分析手段が、前記コミュニケーションサービスに参加している各ユーザについて、前記プロモーションユーザへの接触率に基づいて、当該プロモーションユーザに対するファン度を算出する第２のステップと、
前記有用影響度分析手段が、前記コミュニケーションサービスに参加している各ユーザについて、前記第１のステップで算出された前記影響度および前記第２のステップで算出された前記ファン度に基づいて、前記プロモーションユーザに有用なインフルエンサーであるかを評価するための有用影響度を算出する第３のステップと、
をコンピュータに実行させるためのプログラム。
【発明の詳細な説明】
【技術分野】
【０００１】
本発明は、ネットワーク上のコミュニケーションサービスにおける影響度を算出することができる影響度分析装置、影響度分析方法、およびプログラムに関する。
【背景技術】
【０００２】
ブログやＳＮＳ（ソーシャル・ネットワーキング・サービス）等の普及により、一般消費者による情報の発信活動が盛んになったことで、消費者は、広告よりもインフルエンサーが発信する「Ａ社が新発売したチョコレートは美味しかった」といった商品やサービス等に関する情報を信頼する傾向にある。そのため、人々の消費行動に多大な影響を与える存在であるインフルエンサーの存在はＰＲやマーケティング面において重要な役割を占めている。
【０００３】
そこで、複数のユーザの中から、最適なインフルエンサーを見つけ出すことが重要であり、例えば、共通の関心を共有するコミュニティのユーザの中から、ユーザ間のリンク関係と予め登録されているユーザ情報に基づいて、インフルエンサーを抽出する方法が開示されている（例えば、特許文献１参照）。
【先行技術文献】
【特許文献】
【０００４】
【特許文献１】特表２０１０−５１５１６０号公報
【発明の概要】
【発明が解決しようとする課題】
【０００５】
ところで、ＳＮＳにてＰＲやマーケティングを行う企業等は、ＳＮＳにおいて影響力を持つユーザ（インフルエンサー）を見つけることよりも、自己の発信した情報について他のユーザに影響力を持つユーザ、すなわち、自己のＰＲやマーケティングにおいて役立つ有用なインフルエンサーを見つけることが重要である。ＳＮＳにおいて影響力があるユーザが、必ずしも自己に興味を持ち、自己のＰＲやマーケティングにおいて役立つ有用なインフルエンサーであるとは限らないからである。しかしながら、特許文献１に開示されている方法では、ＳＮＳにてＰＲやマーケティングを行う企業等が自己に有用なインフルエンサーを抽出することはできないという問題点があった。
【０００６】
そこで、本発明は、上記課題に鑑み、ネットワーク上のコミュニケーションサービスにおいて、企業等が自己に有用なインフルエンサーであるかを評価するための影響度を算出することができる影響度分析装置、影響度分析方法、およびプログラムを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を分析する影響度分析装置（例えば、図１の影響度分析装置１００に相当）であって、前記コミュニケーションサービスに参加している各ユーザについて、当該各ユーザが他のユーザに与える影響度と、当該各ユーザの当該プロモーションユーザに対する好意の度合を示すファン度と、に基づいて、前記プロモーションユーザに有用なインフルエンサーであるかを評価するための有用影響度を算出することを特徴とする影響度分析装置を提案している。
【０００９】
この発明によれば、影響度分析装置は、コミュニケーションサービスに参加している各ユーザについて、各ユーザが他のユーザに与える影響度と、各ユーザのプロモーションユーザに対する好意の度合を示すファン度と、に基づいて、プロモーションユーザに有用なインフルエンサーであるかを評価するための有用影響度を算出する。したがって、他のユーザへの影響度とプロモーションユーザに対するファン度とを用いることによって、ネットワーク上のコミュニケーションサービスにおいて、プロモーションユーザが自己に有用なインフルエンサーであるかを評価するための有用影響度を算出することができる。そして、算出された有用影響度によって、プロモーションユーザが自サービスや自製品の利用者を増やすために役立つユーザを判断することができる。
【００１０】
（２）  本発明は、（１）の影響度分析装置について、前記コミュニケーションサービスに参加している各ユーザについて、当該各ユーザにより発信され公開された書き込み情報へ他のユーザの反応率に基づいて、当該各ユーザの当該他のユーザへの影響度を算出する影響度分析手段（例えば、図１の影響度分析部１２０に相当）と、前記コミュニケーションサービスに参加している各ユーザについて、前記プロモーションユーザへの接触率に基づいて、当該各ユーザの当該プロモーションユーザに対する前記ファン度を算出するファン度分析手段（例えば、図１のファン度分析部１３０に相当）と、前記コミュニケーションサービスに参加している各ユーザについて、前記影響度分析手段で算出された前記影響度および前記ファン度分析手段で算出された前記ファン度に基づいて、前記有用影響度を算出する有用影響度分析手段（例えば、図１の有用影響度分析部１４０に相当）と、を備えることを特徴とする影響度分析装置を提案している。
【００１１】
この発明によれば、影響度分析手段は、コミュニケーションサービスに参加している各ユーザについて、各ユーザにより発信され公開された書き込み情報へ他のユーザの反応率に基づいて、各ユーザの他のユーザへの影響度を算出する。ファン度分析手段は、コミュニケーションサービスに参加している各ユーザについて、プロモーションユーザへの接触率に基づいて、各ユーザのプロモーションユーザに対するファン度を算出する。有用影響度分析手段は、コミュニケーションサービスに参加している各ユーザについて、影響度分析手段で算出された影響度およびファン度分析手段で算出されたファン度に基づいて、有用影響度を算出する。したがって、他のユーザへの影響度とプロモーションユーザに対するファン度とを用いることによって、ネットワーク上のコミュニケーションサービスにおいて、プロモーションユーザが自己に有用なインフルエンサーであるかを評価するための有用影響度を算出することができる。そして、算出された有用影響度によって、プロモーションユーザが自サービスや自製品の利用者を増やすために役立つユーザを判断することができる。
【００１２】
（３）  本発明は、（２）の影響度分析装置について、前記有用影響度分析手段で算出された前記有用影響度に基づいて、前記プロモーションユーザに有用なインフルエンサーを抽出するインフルエンサー抽出手段（例えば、図１のインフルエンサー抽出部１５０に相当）を備えることを特徴とする影響度分析装置を提案している。
【００１３】
この発明によれば、インフルエンサー抽出手段は、有用影響度分析手段で算出された有用影響度に基づいて、プロモーションユーザに有用なインフルエンサーを抽出する。したがって、有用影響度によって、プロモーションユーザに有用なインフルエンサー、すなわち、自サービスや自製品の利用者を増やすために役立つユーザを抽出することができる。
【００１４】
（４）  本発明は、（２）または（３）の影響度分析装置について、前記影響度分析手段が、前記コミュニケーションサービスに参加している各ユーザについて、当該各ユーザにより発信され公開された書き込み情報への評価数と、前記他のユーザにより発信され公開された書き込み情報にした評価数とから、他のユーザから興味を持たれている度合を示す興味度を算出する興味度分析手段（例えば、図１の興味度分析部１２１に相当）を備え、前記興味度分析手段で算出された興味度に基づいて、前記影響度を算出することを特徴とする影響度分析装置を提案している。
【００１５】
この発明によれば、興味度分析手段は、コミュニケーションサービスに参加している各ユーザについて、各ユーザにより発信され公開された書き込み情報への評価数と、他のユーザにより発信され公開された書き込み情報にした評価数とから、他のユーザから興味を持たれている度合を示す興味度を算出する。影響度は、興味度分析手段で算出された興味度に基づいて算出する。したがって、他のユーザへの影響度として、他のユーザから興味を持たれている度合を示す興味度を利用することができる。
【００１６】
（５）  本発明は、（２）から（４）の影響度分析装置について、前記影響度分析手段が、前記コミュニケーションサービスに参加している各ユーザについて、当該各ユーザの前記コミュニケーションサービスにおいて友人関係にある友人ユーザの数と、当該各ユーザにより発信され公開された書き込み情報の当該友人ユーザとの共有数および当該友人ユーザによる当該書き込み情報へのコメント数とから、前記友人ユーザの当該各ユーザに対する反応度合を示す友人反応度を算出する友人反応度分析手段（例えば、図１の友人反応度分析部１２２に相当）を備え、前記友人反応度分析手段で算出された友人反応度に基づいて、前記影響度を算出することを特徴とする影響度分析装置を提案している。
【００１７】
この発明によれば、友人反応度分析手段は、コミュニケーションサービスに参加している各ユーザについて、各ユーザのコミュニケーションサービスにおいて友人関係にある友人ユーザの数と、各ユーザにより発信され公開された書き込み情報の友人ユーザとの共有数および友人ユーザによる書き込み情報へのコメント数とから、友人ユーザの各ユーザに対する反応度合を示す友人反応度を算出する。影響度は、友人反応度分析手段で算出された友人反応度に基づいて算出する。したがって、他のユーザへの影響度として、友人ユーザの各ユーザに対する反応度合を示す友人反応度を利用することができる。
【００１８】
（６）  本発明は、（２）から（５）の影響度分析装置について、前記影響度分析手段が、前記コミュニケーションサービスに参加している各ユーザについて、当該各ユーザにより発信され公開された書き込み情報の前記他のユーザとの共有数および当該書き込み情報へのコメント数と、当該各ユーザの書き込み情報数とから、前記コミュニケーションサービスにおける当該各ユーザに対する反応度合を示す全体反応度を算出する全体反応度分析手段（例えば、図１の全体反応度分析部１２３に相当）を備え、前記全体反応度分析手段で算出された全体反応度に基づいて、前記影響度を算出することを特徴とする影響度分析装置を提案している。
【００１９】
この発明によれば、全体反応度分析手段は、コミュニケーションサービスに参加している各ユーザについて、各ユーザにより発信され公開された書き込み情報の他のユーザとの共有数および書き込み情報へのコメント数と、各ユーザの書き込み情報数とから、コミュニケーションサービスにおける当該各ユーザに対する反応度合を示す全体反応度を算出する。影響度は、全体反応度分析手段で算出された全体反応度に基づいて算出する。したがって、他のユーザへの影響度として、コミュニケーションサービスにおける各ユーザに対する反応度合を示す全体反応度を利用することができる。
【００２０】
（７）  本発明は、（２）から（６）の影響度分析装置について、前記ファン度分析手段が、前記コミュニケーションサービスに参加している各ユーザについて、前記プロモーションユーザにより発信され公開された書き込み情報数と、当該書き込み情報への評価数および当該書き込み情報の前記他のユーザとの共有数とから、当該各ユーザの当該プロモーションユーザに対する反応度合を示すプロモーション反応度を算出するプロモーション反応度分析手段（例えば、図１のプロモーション反応度分析部１３１に相当）を備え、前記プロモーション反応度分析手段で算出されたプロモーション反応度に基づいて、前記ファン度を算出することを特徴とする影響度分析装置を提案している。
【００２１】
この発明によれば、プロモーション反応度分析手段は、コミュニケーションサービスに参加している各ユーザについて、プロモーションユーザにより発信され公開された書き込み情報数と、書き込み情報への評価数および書き込み情報の他のユーザとの共有数とから、各ユーザのプロモーションユーザに対する反応度合を示すプロモーション反応度を算出する。影響度は、プロモーション反応度分析手段で算出されたプロモーション反応度に基づいて算出する。したがって、ファン度として、各ユーザのプロモーションユーザに対する反応度合を示すプロモーション反応度を利用することができる。
【００２２】
（８）  本発明は、（２）から（７）の影響度分析装置について、前記ファン度分析手段が、前記コミュニケーションサービスに参加している各ユーザについて、前記プロモーションユーザにより当該コミュニケーションサービスを利用できるように当該各ユーザに提供されているアプリケーションの数と、当該各ユーザに提供されているアプリケーションのうち当該各ユーザが利用したアプリケーションの数とから、当該各ユーザの当該アプリケーションの利用状況を示す利用度を算出する利用度分析手段（例えば、図１の利用度分析部１３２に相当）を備え、前記利用度分析手段で算出された利用度に基づいて、前記ファン度を算出することを特徴とする影響度分析装置を提案している。
【００２３】
この発明によれば、利用度分析手段は、コミュニケーションサービスに参加している各ユーザについて、プロモーションユーザによりコミュニケーションサービスを利用できるように各ユーザに提供されているアプリケーションの数と、各ユーザに提供されているアプリケーションのうち各ユーザが利用したアプリケーションの数とから、各ユーザのアプリケーションの利用状況を示す利用度を算出する。ファン度は、利用度分析手段で算出された利用度に基づいて算出する。したがって、ファン度として、各ユーザのアプリケーションの利用状況を示す利用度を利用することができる。
【００２４】
（９）  本発明は、ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を算出する影響度分析装置における影響度分析方法であって、前記影響度分析装置は、影響度分析手段、ファン度分析手段、および有用影響度分析手段を備え、前記影響度分析手段が、前記コミュニケーションサービスに参加している各ユーザについて、当該各ユーザにより発信され公開された書き込み情報へ他のユーザの反応率に基づいて、当該各ユーザの当該他のユーザへの影響度を算出する第１のステップ（例えば、図２のステップＳ２に相当）と、前記ファン度分析手段が、前記コミュニケーションサービスに参加している各ユーザについて、前記プロモーションユーザへの接触率に基づいて、当該プロモーションユーザに対するファン度を算出する第２のステップ（例えば、図２のステップＳ３に相当）と、前記有用影響度分析手段が、前記コミュニケーションサービスに参加している各ユーザについて、前記第１のステップで算出された前記影響度および前記第２のステップで算出された前記ファン度に基づいて、前記プロモーションユーザに有用なインフルエンサーであるかを評価するための有用影響度を算出する第３のステップ（例えば、図２のステップＳ４に相当）と、を含むことを特徴とする影響度分析方法を提案している。
【００２５】
この発明によれば、まず、第１のステップにおいて、影響度分析手段が、コミュニケーションサービスに参加している各ユーザについて、各ユーザにより発信され公開された書き込み情報へ他のユーザの反応率に基づいて、各ユーザの他のユーザへの影響度を算出する。次に、第２のステップにおいて、ファン度分析手段が、コミュニケーションサービスに参加している各ユーザについて、プロモーションユーザへの接触率に基づいて、プロモーションユーザに対するファン度を算出する。次に、第３のステップにおいて、有用影響度分析手段が、コミュニケーションサービスに参加している各ユーザについて、第１のステップで算出された影響度および第２のステップで算出されたファン度に基づいて、プロモーションユーザに有用なインフルエンサーであるかを評価するための有用影響度を算出する。したがって、他のユーザへの影響度とプロモーションユーザに対するファン度とを用いることによって、ネットワーク上のコミュニケーションサービスにおいて、プロモーションユーザが自己に有用なインフルエンサーであるかを評価するための有用影響度を算出することができる。そして、算出された有用影響度によって、プロモーションユーザが自サービスや自製品の利用者を増やすために役立つユーザを判断することができる。
【００２６】
（１０）  本発明は、ユーザにより発信された書き込み情報を公開するとともに、公開された書き込み情報についてユーザから反応を得ることができるコミュニケーションサービスを提供するコミュニケーションサーバと接続され、前記公開された書き込み情報を利用してプロモーションを行うプロモーションユーザにとって有用なインフルエンサーであるかを評価するための有用影響度を算出する影響度分析装置における影響度分析方法をコンピュータに実行させるためのプログラムであって、前記影響度分析装置は、影響度分析手段、ファン度分析手段、および有用影響度分析手段を備え、前記影響度分析手段が、前記コミュニケーションサービスに参加している各ユーザについて、当該各ユーザにより発信され公開された書き込み情報へ他のユーザの反応率に基づいて、当該各ユーザの当該他のユーザへの影響度を算出する第１のステップ（例えば、図２のステップＳ２に相当）と、前記ファン度分析手段が、前記コミュニケーションサービスに参加している各ユーザについて、前記プロモーションユーザへの接触率に基づいて、当該プロモーションユーザに対するファン度を算出する第２のステップ（例えば、図２のステップＳ３に相当）と、前記有用影響度分析手段が、前記コミュニケーションサービスに参加している各ユーザについて、前記第１のステップで算出された前記影響度および前記第２のステップで算出された前記ファン度に基づいて、前記プロモーションユーザに有用なインフルエンサーであるかを評価するための有用影響度を算出する第３のステップ（例えば、図２のステップＳ４に相当）と、をコンピュータに実行させるためのプログラムを提案している。
【００２７】
この発明によれば、まず、第１のステップにおいて、影響度分析手段が、コミュニケーションサービスに参加している各ユーザについて、各ユーザにより発信され公開された書き込み情報へ他のユーザの反応率に基づいて、各ユーザの他のユーザへの影響度を算出する。次に、第２のステップにおいて、ファン度分析手段が、コミュニケーションサービスに参加している各ユーザについて、プロモーションユーザへの接触率に基づいて、プロモーションユーザに対するファン度を算出する。次に、第３のステップにおいて、有用影響度分析手段が、コミュニケーションサービスに参加している各ユーザについて、第１のステップで算出された影響度および第２のステップで算出されたファン度に基づいて、プロモーションユーザに有用なインフルエンサーであるかを評価するための有用影響度を算出する。したがって、他のユーザへの影響度とプロモーションユーザに対するファン度とを用いることによって、ネットワーク上のコミュニケーションサービスにおいて、プロモーションユーザが自己に有用なインフルエンサーであるかを評価するための有用影響度を算出することができる。そして、算出された有用影響度によって、プロモーションユーザが自サービスや自製品の利用者を増やすために役立つユーザを判断することができる。
【発明の効果】
【００２８】
本発明によれば、ネットワーク上のコミュニケーションサービスにおいて、書き込み情報を利用してプロモーションを行うプロモーションユーザが自己に有用なインフルエンサーであるかを評価するための影響度を算出することができる。そして、算出された有用影響度によって、プロモーションユーザが自サービスや自製品の利用者を増やすために役立つユーザを判断することができる。
【図面の簡単な説明】
【００２９】
【図１】本発明の実施形態に係る影響度分析装置の機能構成を示す図である。
【図２】本発明の実施形態に係る影響度分析装置における影響度分析処理フローを示す図である。
【発明を実施するための形態】
【００３０】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３１】
図１は、本発明の実施形態に係る影響度分析装置１００の機能構成を示す図である。図１に示すように、影響度分析装置１００は、ソーシャル・ネットワーキング・サービス（ＳＮＳ）サーバ１０と通信可能に接続される。
【００３２】
ＳＮＳサーバ１０は、ユーザ同士がコミュニケーションを行うための機能を備えたＷｅｂサイトを提供するサーバであって、例えば、ＴＷＩＴＴＥＲ（登録商標）やＦａｃｅｂｏｏｋ（登録商標）のサーバである。図１には、ＳＮＳサーバ１０は１台しか図示していないが、複数台であってもよい。なお、本実施形態においてＳＮＳサーバ１０としているが、ユーザから発信された書き込み情報を公開するとともに、公開した書き込み情報についてユーザから反応を得ることができるサーバであればよく、ＳＮＳのサーバに限らない。
【００３３】
本実施形態において、ＳＮＳサーバ１０は、ＳＮＳに発信された書き込み情報に対するユーザの反応に関する反応情報を管理する。反応情報は、例えば、書き込み情報を特定する情報（書き込み情報ＩＤ等）、書き込み情報を発信したユーザを特定する発信ユーザ情報（ユーザＩＤやユーザ名等）、書き込み情報に対して反応したユーザを特定する反応ユーザ情報（ユーザＩＤやユーザ名等）、書き込み情報に対する反応の種別を示す反応種別、書き込み情報に対して反応する際に使用されたアプリケーションを特定するアプリ情報（アプリＩＤやアプリ名等）等が含まれる。なお、本実施形態において、反応情報は書き込み情報１つに対し１つあり、本実施形態において書き込み情報に対する反応がない場合であっても反応情報はあるものとする。
【００３４】
ここで、反応種別には、書き込み情報への評価、書き込み情報の他のユーザとの共有、および書き込み情報に対する新たな書き込み情報の発信がある。それぞれについて、Ｆａｃｅｂｏｏｋを例に説明すると、書き込み情報への評価は「いいね」ボタンを押下することであって、書き込み情報の他のユーザとの共有は「シェア」ボタンを押下することであって、書き込み情報に対する新たな書き込み情報の発信は書き込み情報に対してコメントを行うことである。
【００３５】
ここで、書き込み情報に対して反応する際に使用されたアプリケーションとは、公開された書き込み情報を利用してプロモーションを行う企業といったプロモーションユーザ（以下、簡略化してプロモユーザと言う）が、ＳＮＳを利用できるようにＨＰ等で提供しているアプリケーションのうち、ユーザが書き込み情報に対して反応する際に使用していたアプリケーションである。なお、本実施形態において、書き込み情報を発信したのがプロモーションユーザの場合に、プロモーションユーザがＳＮＳを利用できるようにＨＰ等で提供しているアプリケーションの数を反応情報に含めるが、ＳＮＳサーバ１０が別途管理してもよい。
【００３６】
本実施形態において、また、ＳＮＳサーバ１０は、ＳＮＳにおけるユーザ間の友人関係を特定するための友人情報を管理する。友人情報には、例えば、友人関係にあるユーザを特定するユーザＩＤやユーザ名等が含まれる。
【００３７】
影響度分析装置１００は、ＳＮＳで公開された書き込み情報を利用してプロモーションを行うプロモユーザにとって有用なインフルエンサーであるかを評価するための有用影響度を分析する装置であって、図１に示すように、情報取得部１１０、影響度分析部１２０、ファン度分析部１３０、有用影響度分析部１４０、インフルエンサー抽出部１５０を備える。
【００３８】
情報取得部１１０は、ＳＮＳサーバ１０から反応情報を取得する。情報取得部１１０は、予め設定された書き込み情報が発信された期間や予め設定された書き込み情報のカテゴリに基づいて、反応情報を抽出してもよい。また、情報取得部１１０は、後述する友人反応度分析部１２２にて友人反応度を算出する場合には、ＳＮＳサーバ１０から友人情報を取得する。
【００３９】
影響度分析部１２０は、ＳＮＳに参加している各ユーザについて、情報取得部１１０で取得された反応情報を用いて、ＳＮＳに公開された書き込み情報への他のユーザの反応率に基づいて、他ユーザへの影響度を分析する。具体的には、影響度分析部１２０は、興味度分析部１２１、友人反応度分析部１２２、および全体反応度分析部１２３の少なくともいずれか１つを備え、備えている分析部により分析された値を用いて影響度を算出する。
【００４０】
興味度分析部１２１は、まず、情報取得部１１０で取得された反応情報に含まれる、発信ユーザ情報、反応ユーザ情報および反応種別を用いて、ＳＮＳに参加している各ユーザについて、他のユーザの書き込み情報にした評価の数、および自己の書き込み情報にされた評価の数を取得する。そして、興味度分析部１２１は、以下の（１）により興味度Ｉを算出する。
【００４１】
【数１】
2014021889.tif 000003
【００４２】
上述した（１）式により得られる興味度は、興味があって評価するのではなく、自己の書き込み情報を評価してくれたから評価するといった単なる相互評価を除くために、他のユーザの書き込み情報にした評価の数を利用し、他のユーザから興味を持たれている実質的な度合を示す。影響度は、大きいほど多くのユーザから興味を持たれていることを示す。
【００４３】
（１）式の分母に他のユーザの書き込み情報にした評価の数に１を足しているのは、自己の書き込み情報が他のユーザから評価されていても、他のユーザの書き込み情報に対して評価を行っていないユーザの影響度が０になるのを防ぐためである。このようなユーザは、プロモユーザにとって有用なインフルエンサーと成り得るからである。なお、興味度Ｉを上述した（１）式の代わりに、以下の（１）´により算出してもよい。（１）式同様に、自己の書き込み情報を評価してくれたから評価するといった単なる相互評価を除いて、他のユーザから興味を持たれている実質的な度合を算出することができるからである。
【００４４】
【数２】
2014021889.tif 000004
【００４５】
友人反応度分析部１２２は、情報取得部１１０で取得された反応情報に含まれる、発信ユーザ情報、反応ユーザ情報および反応種別を用いて、ＳＮＳに参加している各ユーザについて、自己の書き込み情報への反応の数を取得する。ここで、自己の書き込み情報にされた反応の数は、書き込み情報への評価を除く、書き込み情報の他のユーザとの共有の数、および書き込み情報に対する新たな書き込み情報の発信の数である。また、友人反応度分析部１２２は、情報取得部１１０で取得された友人情報に基づいて、ＳＮＳに参加している各ユーザについて、友人の数を取得する。そして、友人反応度分析部１２２は、以下の（２）により友人反応度ＦＲを算出する。
【００４６】
【数３】
2014021889.tif 000005
【００４７】
上述した（２）式により得られる友人反応度ＦＲは、ＳＮＳにおける友人に与える影響度を示し、大きいほどＳＮＳにおける友人に影響力があることを示す。
【００４８】
全体反応度分析部１２３は、情報取得部１１０で取得された反応情報に含まれる、発信ユーザ情報、反応ユーザ情報および反応種別を用いて、ＳＮＳに参加している各ユーザについて、自己の書き込み情報への反応の数を取得する。ここで、自己の書き込み情報にされた反応の数は、友人反応度分析部１２２の場合と同様に、書き込み情報への評価を除く、書き込み情報の他のユーザとの共有の数、および書き込み情報に対する新たな書き込み情報の発信の数である。
【００４９】
また、全体反応度分析部１２３は、ＳＮＳに発信した自己の書き込み情報の数を取得する。本実施形態において、反応情報は書き込み情報と１対１対応しているので、自己の書き込み情報に対応する反応情報の数をカウントすることにより、自己の書き込み情報の数を取得することができる。そして、全体反応度分析部１２３は、以下の（３）により全体反応度ＴＲを算出する。
【００５０】
【数４】
2014021889.tif 000006
【００５１】
上述した（３）式により得られる全体反応度ＴＲは、ＳＮＳ全体、すなわち、ＳＮＳに参加している全ユーザに与える影響度を示し、大きいほどＳＮＳにおいて影響力があることを示す。
【００５２】
影響度分析部１２０は、以下の（４）式に示すように、興味度分析部１２１で算出された影響度Ｉ、友人反応度分析部１２２で算出された友人反応度ＦＲ、および全体反応度分析部１２３で算出された全体反応度ＴＲを足し合わせて影響度Ｒを算出する。（４）式に示すように影響度Ｉ、友人反応度ＦＲ、および全体反応度ＴＲに重み付けを行って、いずれに重きをおくかを設定することもできる。多くのユーザから興味を持たれていることを重視する場合には影響度Ｉの重みを大きくする。友人に影響を与えていることを重視する場合には、友人反応度ＦＲの重みを大きくし、ＳＮＳ全体に影響を与えていることを重視する場合には、全体反応度ＴＲの重みを大きくする。なお、（４）式に示すα、β、γは影響度Ｅを算出するための重み付け係数である。
【００５３】
【数５】
2014021889.tif 000007
【００５４】
なお、影響度Ｉ、友人反応度ＦＲ、および全体反応度ＴＲのうち、いずれか１つまたは２つの重みを０としてもよく、影響度Ｉ、友人反応度ＦＲ、および全体反応度ＴＲの少なくとも１つの値から影響度Ｅを算出すればよい。
【００５５】
ファン度分析部１３０は、ＳＮＳに参加している各ユーザについて、プロモユーザ毎に、情報取得部１１０で取得された反応情報を用いて、プロモユーザへの接触率に基づいて、プロモユーザへのファン度を算出する。なお、予めファン度を算出するプロモユーザを設定してもよい。具体的には、プロモーション反応度分析部１３１、および利用度分析部１３２の少なくともいずれか１つを備え、備えている分析部により分析された値を用いて、プロモユーザへの関心の度合を示すファン度を算出する。
【００５６】
プロモーション反応度分析部１３１は、まず、ＳＮＳに参加している各ユーザについて、プロモユーザ毎に、情報取得部１１０で取得された反応情報に含まれる、発信ユーザ情報、反応ユーザ情報、および反応種別を用いて、プロモユーザの書き込み情報への反応の数を取得する。ここで、プロモユーザの書き込み情報への反応の数は、書き込み情報に対する新たな書き込み情報の発信の数を除く、書き込み情報への評価の数、および書き込み情報の他のユーザとの共有の数である。
【００５７】
また、プロモーション反応度分析部１３１は、プロモユーザ毎に、プロモユーザの書き込み情報の数を取得する。プロモユーザの書き込み情報の数の取得方法については、全体反応度分析部１２３における取得したＳＮＳに発信した自己の書き込み情報の数の取得方法と同様である。そして、プロモーション反応度分析部１３１は、以下の（５）式によりプロモーション反応度ＰＲを算出する。
【００５８】
【数６】
2014021889.tif 000008
【００５９】
上述した（５）式により得られるプロモーション反応度ＰＲは、プロモユーザへの関心度を示し、大きいほどプロモユーザに対して関心があることを示す。
【００６０】
利用度分析部１３２は、まず、ＳＮＳに参加している各ユーザについて、プロモユーザ毎に、情報取得部１１０で取得された反応情報に含まれる、発信ユーザ情報、反応ユーザ情報、アプリ情報、およびプロモユーザが提供しているアプリの数を用いて、各ユーザが使用したアプリの数を取得する。また、利用度分析部１３２は、プロモユーザ毎に、反応情報からプロモユーザが提供しているアプリの数を取得する。そして、利用度分析部１３２は、以下の（６）式により利用度ＡＵを算出する。
【００６１】
【数７】
2014021889.tif 000009
【００６２】
上述した（６）式により得られる利用度ＡＵは、プロモユーザが提供するアプリの利用度であって、大きいほどプロモユーザが提供するアプリをよく利用していることを示すことから、プロモユーザに好意的であることを示す。
【００６３】
ファン度分析部１３０は、以下の（７）式に示すように、プロモーション反応度分析部１３１で算出されたプロモーション反応度ＰＲ、および利用度分析部１３２で算出された利用度ＡＵを足し合わせてファン度Ｆを算出する。（７）式に示すようにプロモーション反応度ＰＲ、および利用度ＡＵに重み付けを行って、いずれに重きをおくかを設定することもできる。強い関心をもたれていることを重視する場合には、プロモーション反応度ＰＲの重みを大きくし、プロモユーザへの好意度合を重視する場合には、利用度ＡＵの重みを大きくする。なお、（７）式に示すα、βはファン度Ｆを算出するための重み付け係数であって、（４）式のα、βとは関連性はない。
【００６４】
【数８】
2014021889.tif 000010
【００６５】
有用影響度分析部１４０は、以下の（８）式に示すように、影響度分析部１２０で算出された影響度Ｅとファン度分析部１３０で算出されたファン度Ｆとを足し合わせて、ＳＮＳに参加している各ユーザについて、プロモユーザそれぞれの有用影響度ＵＥを算出する。例えば、ユーザＡのプロモユーザＸに対する有用影響度ＵＥは、ユーザＡの影響度Ｅと、ユーザＡのプロモユーザＸに対するファン度Ｆとを足し合わせて算出する。
【００６６】
（８）式に示すように、影響度Ｅとファン度Ｆとに重み付けを行って、影響度Ｅとファン度Ｆとのいずれに重きをおくかを設定することもできる。なお、（８）式に示すα、βは有用影響度ＵＥを算出するための重み付け係数であって、（４）式および（７）式のα、βとは関連性はない。ＳＮＳにおいて多くのユーザに影響を与えることを重視する場合には、影響度Ｅの重みを大きくし、一方、プロモユーザにとって好意的であることを重視する場合には、ファン度Ｆの重みを大きくする。なお、影響度Ｅとファン度Ｆとのいずれか一方の重みを０とし、有用影響度ＵＥを影響度Ｅのみ、または、ファン度Ｆのみで算出してもよい。
【００６７】
【数９】
2014021889.tif 000011
【００６８】
インフルエンサー抽出部１５０は、有用影響度分析部１４０で算出された有用影響度ＵＥに基づいて、プロモユーザにとって有用なインフルエンサーを抽出する。なお、インフルエンサー抽出部１５０は、備えていなくてもよい。
【００６９】
図２は、本発明の第１の実施形態に係る影響度分析装置１００の影響度分析処理フローを示す図である。
【００７０】
まず、ステップＳ１において、情報取得部１１０は、ＳＮＳサーバ１０から反応情報を取得する。
【００７１】
次に、ステップＳ２において、影響度分析部１２０は、ＳＮＳに参加している各ユーザについて、ステップＳ１で取得した反応情報から算出した興味度Ｉ、友人反応度ＦＲ、および全体反応度ＴＲの少なくとも１つを用いて、影響度Ｅを算出する。
【００７２】
次に、ステップＳ３において、ファン度分析部１３０は、ＳＮＳに参加している各ユーザについて、ステップＳ１で取得した反応情報から算出したプロモーション反応度ＰＲ、および利用度ＡＵの少なくとも１つを用いて、プロモユーザ毎のファン度Ｆを算出する。
【００７３】
次に、ステップＳ４において、有用影響度分析部１４０は、ＳＮＳに参加している各ユーザについて、ステップＳ２で算出した影響度Ｅ、およびステップＳ３で算出したプロモユーザ毎のファン度Ｆに基づいて、各ユーザのプロモユーザそれぞれに対する有用影響度ＵＥを算出する。
【００７４】
以上説明したように、本実施形態によれば、ＳＮＳにおいて、書き込み情報に対する反応から算出した他のユーザへの影響度、およびプロモーションユーザに対するファン度を利用してプロモーションを行うプロモーションユーザが自己に有用なインフルエンサーであるかを評価するための有用影響度を算出することができる。そして、算出された有用影響度によって、プロモーションユーザが自サービスや自製品の利用者を増やすために役立つユーザを判断することができる。
【００７５】
なお、影響度分析装置の処理をコンピュータ読み取り可能な記録媒体に記録し、この記録媒体に記録されたプログラムを機器に読み込ませ、実行することによって本発明の影響度分析装置を実現することができる。ここでいうコンピュータシステムとは、ＯＳや周辺装置等のハードウェアを含む。
【００７６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７７】
また、上記プログラムは、前述した機能の一部を実現するためのものであってもよい。更に、前述した機能をコンピュータシステムにすでに記録されているプログラムとの組み合わせで実現できるもの、いわゆる差分ファイル（差分プログラム）であってもよい。
【００７８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７９】
１０    ＳＮＳサーバ
１００  影響度分析装置
１１０  情報取得部
１２０  影響度分析部
１２１  興味度分析部
１２２  友人反応度分析部
１２３  全体反応度分析部
１３０  ファン度分析部
１３１  プロモーション反応度分析部
１３２  利用度分析部
１４０  有用影響度分析部
１５０  インフルエンサー抽出部
【図１】
2014021889.tif 000012
【図２】
2014021889.tif 000013